(57)【要約】【課題】  十分に緩衝効果を具備し、収納箱の大型化を生じることなく収納スペースを広く確保する。【解決手段】  少なくとも厚み方向に弾性変形性を備える一対の緩衝部２０と、一対の緩衝部２０の間で当該各緩衝部２０の厚みよりも深く形成された凹部３３を有する収納部３０とを備えている。  そして、二つの保護材Ｃの間のスペースに収納部３０を格納して外部への拡大を防止する。【選択図】    図２
2006021814.tif 000002
【特許請求の範囲】
【請求項１】
少なくとも厚み方向に弾性変形性を備える一対の緩衝部と、
一対の緩衝部の間で当該各緩衝部の厚みよりも深く形成された凹部を有する収納部とを備えることを特徴とする梱包用緩衝構造体。
【請求項２】
一枚の板体又はシート体を折り曲げて組み上げたことを特徴とする請求項１記載の梱包用緩衝構造体。
【請求項３】
前記各緩衝部は、前記板体又はシート体の両端部をそれぞれ折り曲げて形成された角筒であることを特徴とする請求項２記載の梱包用緩衝構造体。
【請求項４】
前記帯状の板体又はシート体に、前記各緩衝部の角筒状態を維持するためのスリット部及び当該スリット部に挿入させる舌片部を形成し、
前記各舌片部に、前記スリット部への挿入方向と異なる方向に伸びた係止片を設けることを特徴とする請求項３記載の梱包用緩衝構造体。
【請求項５】
前記帯状の板体又はシート体に、前記各緩衝部の角筒状態を維持するためのスリット部及び当該スリット部に挿入させる舌片部を形成し、
前記各舌片部に、前記スリット部への挿入方向と異なる方向に伸びた係止片を設けると共に、前記各スリット部のスリット形状を一部屈曲形状としたことを特徴とする請求項３記載の梱包用緩衝構造体。
【発明の詳細な説明】
【技術分野】
【０００１】
本発明は、梱包対象物を収納箱に収納する際に用いる梱包用緩衝構造体に関するものである。
【背景技術】
【０００２】
従来の梱包対象物の収納に関する技術として、梱包対象物が複数に分かれる場合において、収納箱の内部を複数の領域に仕切る仕切板を設けると共に当該仕切板を梱包対象物の外形に応じて湾曲又は曲折形成させるという手法が挙げられる（例えば、特許文献１参照）。
【０００３】
また、他の梱包対象物の収納に関する技術として、梱包対象物の一端部が挿入される挿入穴が形成された支持板と、支持板の両端部に平行に設けられた二つの主角筒部と、各主角筒部に交差する方向に設けられた副角筒部とを備えた梱包用緩衝構造体が挙げられる（例えば、特許文献２参照）。
【０００４】
かかる梱包用緩衝構造体は、一枚の段ボールから折り上げると共に、主角筒部と副角筒部との干渉位置に切り込みを設けて互いの壁板材を切り込みに差し込むことで干渉を回避して組み上げることを可能としている。
【０００５】
つまり、長方形の段ボールの三辺からそれぞれ内側に巻いてゆくように角柱を折り上げると共に、各角柱部の干渉位置では、各切り込みに相互の壁板材を差し込むことで組み上げを完成させるようになっており、梱包用緩衝構造体の作成の容易性と耐荷重性の向上とを図っている。
【０００６】
また、他の梱包対象物の収納に関する技術として、両端部に橋脚部を有すると共に少なくともその一方を角筒状とした橋梁状の主構造体と、当該種構造体における橋脚部の長手方向両端部に取り付けられる角筒状の二つの副構造体とからなる梱包用緩衝構造体が挙げられる（例えば、特許文献３参照）。
【０００７】
かかる梱包用緩衝構造体は、少なくとも三方に形成される角筒状部によりその耐荷重性の向上を図ると共に、主構造体の角筒状部内を梱包対象物に付随する副次的梱包対象物の収納スペースとすることを可能としている。
【０００８】
また、他の梱包対象物の収納に関する技術として、収納箱内で梱包対象物の左右両側に配設される断面Ｌ字状の一対の段ボール板と、梱包対象物の上側に配設され、梱包対象物に付属される副梱包対象物を収納する凹状段ボール板とを、収納箱と梱包対象物との間に介挿させるものが挙げられる（例えば、特許文献４参照）。
【０００９】
かかる手法では、収納箱と梱包対象物との間に段ボール板の厚み程度の隙間があれば、梱包が可能となり、収納箱の小型化を図ることを可能としている。
【００１０】
また、凹状段ボール板は断面凹状であって、上面から見れば凹状となり、下面から見れば凸状となる形状であることから、左右両側の段ボール板の間のスペースに凸状部が介挿され、左右両側の段ボール板の間のスペースを副梱包対象物の収納スペースとして利用することを可能としている。
【特許文献１】特開平１１−３４２９９１号公報
【特許文献２】特開平１１−２４０５７６号公報
【特許文献３】特開平１１−３２１９２９号公報
【特許文献４】特開平５−４２９７３号公報
【発明の開示】
【発明が解決しようとする課題】
【００１１】
しかしながら、特許文献１に記載の従来例にあっては、複数の梱包対象物を個別に収納するための仕切板が湾曲又は曲折形成されているため、支持強度が低く、緩衝効果が低いという不都合があった。
【００１２】
また、特許文献２に記載の従来例では、支持板のほぼ中央部に設けられた挿入穴に梱包対象物の一端部が挿入され、当該梱包対象物の挿入端部が主角筒部の内部にまで侵入する構造のため、主体となる梱包対象物以外の副次的な梱包対象物がある場合であっても、当該副次的な梱包対象物を収納するスペースを梱包用緩衝構造体の内部空間、例えば各主角筒部の内側領域、各主角筒部の間の領域に確保することができないという不都合があった。
【００１３】
また、副角筒部の内部には梱包対象物が侵入する構造とはなっていないが、筒梱包対象物に接触状態で隣接して緩衝を図る構造であるため、副角筒部の内部に副次的な梱包対象物の収納スペースを十分に確保するためには、副角筒部の大型化が必要となり、その結果、梱包用緩衝構造体全体の大型化が不可避となるという不都合があった。
【００１４】
また、特許文献３に記載の従来例では、梱包対象物の端部が副構造体の内部にまで侵入する構造のため、その内側には副次的な梱包対象物を収納するスペースを確保することができなかった。
【００１５】
さらに、主構造体の角筒状部の内部には梱包対象物が侵入する構造とはなっていないが、筒梱包対象物に接触状態で隣接して緩衝を図る構造であるため、角筒状部の内部に副次的な梱包対象物の収納スペースを十分に確保するためには、角筒状部の大型化が必要となり、その結果、梱包用緩衝構造体全体の大型化が不可避となるという不都合があった。
【００１６】
また、特許文献４に記載の従来例は、段ボール板の厚みのみにより緩衝効果を得る構成のため、十分な緩衝効果を期待できない、という不都合があった。
【００１７】
本発明は、梱包対象物に対する緩衝性を具備しつつ梱包対象物以外の副次的な梱包対象物の収納領域を確保することを、その目的とする。
【課題を解決するための手段】
【００１８】
請求項１記載の発明は、少なくとも厚み方向に弾性変形性を備える一対の緩衝部と、一対の緩衝部の間で当該各緩衝部の厚みよりも深く形成された凹部を有する収納部とを備える、という構成を採っている。
【００１９】
上記構成では、緩衝部の変形を生じる方向即ち厚み方向と収納部の凹部の深さ方向とが一致するように形成されている。そして、凹部が緩衝部の厚みよりも深く設定されていることから、収納部の底面が各緩衝部の底面よりも低位置となり、収納部が両側の緩衝部よりも下方に突出した状態となっている。
【００２０】
一方、梱包対象物を包装用の収納箱に収納する際には、梱包対象物の両端部に当該各端部を包むように保護材を装着し、梱包対象物の両端部と収納箱の内面との隙間を埋めるようにして、梱包対象物の両端部にそれぞれ対向する方向からの衝撃や圧力からの保護を図ることが一般的に行われている。
【００２１】
かかる保護材を両端部に装着した梱包対象物に対して、二つの保護部材の間に突出した収納部を挿入して梱包用緩衝構造体を配置することで、二つの緩衝部はそれぞれ保護材に接すると共に、当該保護材と異なる方向からの衝撃や圧力に対してその弾性変形性による緩和効果を発揮して梱包対象物の保護が図られる。
【００２２】
また、収納部は、その内側が凹状であることから、梱包対象物以外の副次的な梱包対象物の収納スペースとして活用することができる。さらに、収納部の下方に突出する底部を二つの保護材の隙間に挿入させることができるので、凹部の深さが十分に確保され、副次的な梱包対象物の収納スペースの拡大が図られる。
【００２３】
請求項２記載の発明は、請求項１記載の発明と同様の構成を備えると共に、一枚の板体又はシート体を折り曲げて組み上げる、という構成を採っている。
【００２４】
上記構成では、板体又はシート体の折り曲げにより立体的な構造である、各緩衝部、収納部が形成される。そして、その衝撃や圧力等の緩和効果は、板体又はシート体の弾性に応じて決定される。
【００２５】
請求項３記載の発明は、請求項２記載の発明と同様の構成を備えると共に、各緩衝部は、板体又はシート体の両端部をそれぞれ折り曲げて形成された角筒である、という構成を採っている。
【００２６】
板体又はシート体の両端部をそれぞれ中央部側に巻いて行き、且つ巻きながら角部を形成することで、その両側に角筒からなる緩衝部が形成される。
【００２７】
請求項４記載の発明は、請求項３記載の発明と同様の構成を備えると共に、帯状の板体又はシート体に、各緩衝部の角筒状態を維持するためのスリット部及び当該スリット部に挿入させる舌片部を形成し、各舌片部に、スリット部への挿入方向と異なる方向に伸びた係止片を設ける、という構成を採っている。
【００２８】
上記構成では、角筒形成のために、板体又はシート体の端部にスリット部又は舌片部を設け、角筒状態を維持するために先端部を固定すべき位置に舌片部又はスリット部を設ける。そして、舌片部をスリット部に挿入する。さらに、挿入後に舌片部に設けられた係止片を曲げると、当該係止片は舌片部の挿入方向と異なる方向に伸びていることからストッパとして機能して、舌片部のスリットからの脱抜を防止する。
【００２９】
請求項５記載の発明は、請求項３記載の発明と同様の構成を備えると共に、帯状の板体又はシート体に、各緩衝部の角筒状態を維持するためのスリット部及び当該スリット部に挿入させる舌片部を形成し、各舌片部に、スリット部への挿入方向と異なる方向に伸びた係止片を設けると共に、各スリット部のスリット形状を一部屈曲形状とする、という構成を採っている。
【００３０】
上記構成では、角筒形成のために、板体又はシート体の端部にスリット部又は舌片部を設け、角筒状態を維持するために先端部を固定すべき位置に舌片部又はスリット部を設ける。そして、舌片部をスリット部に挿入する。このとき、スリットが一部屈曲形状であるため、予め舌片部をスリット部に応じて屈曲させてから挿入する。挿入後、曲げられた係止片を元の状態のように延ばすと、当該係止片はスリット部の形状に対応しなくなり、ストッパとして機能して、舌片部のスリットからの脱抜を防止する。
【発明の効果】
【００３１】
請求項１記載の発明は、二つの緩衝部より収納部を下方に突出させているので、副次的な梱包対象物の収納スペースとなる凹部の容積を大きく確保することが可能となる一方で、両端部に保護材を配置された梱包対象物に対して、二つの保護材の間の空間に突出した収納部を挿入することにより、収納部の突出形状による収納箱の拡大を回避して、その小型化を図ることが可能となる。
【００３２】
さらに、収納部の両側には緩衝部が設けられているので、梱包対象物の両端部に配置された各保護材とは異なる方向からの衝撃や圧力を緩和することが可能となる。
【００３３】
また、収納部が二つの保護材の間に挟まれた配置となるので、各保護材が接近する方向の衝撃や圧力を収納部が吸収し、梱包対象物のさらなる保護を図ることが可能となる。
【００３４】
請求項２記載の一枚の板体又はシート体から梱包用緩衝構造体を形成するため、その生産材料を低減し且つ無駄なく活用することができ、生産性の向上を図ることが可能となる。
【００３５】
さらに、板体又はシート体から折り上げて完成されることから、生産の容易化迅速化を
図り、さらなる生産性の向上を図ることが可能となる。
【００３６】
請求項３記載の発明は、板体又はシート体の両端部をそれぞれ角部を形成しながら中央部側に巻くことで角筒状の緩衝部を形成することが容易にできるので、その生産性のをさらに向上することが可能となる。
【００３７】
また、角筒状であることから、その長手方向に十分な強度を得ることができ、また、長手方向に直交する方向には板体又はシート体の剛性に応じた緩衝効果を得ることができ、梱包対象物を十分に保護することが可能となる。
【００３８】
請求項４記載の発明は、舌片部をスリット部に挿入し、係止片を曲げる等の簡易な作業で、角筒部を形成し維持することが可能となる。
【００３９】
さらに、舌片部には係止片が設けられているので、舌片部のスリット部からの抜脱を防止し、角筒構造を効果的に維持することができ、構造上の強化を図ることが可能となる。
【００４０】
請求項５記載の発明は、係止片を曲げ、舌片部をスリット部に挿入する等の簡易な作業で、角筒部を形成し維持することが可能となる。
【００４１】
さらに、舌片部には係止片が設けられているので、舌片部のスリット部からの抜脱を防止し、角筒構造を効果的に維持することができ、構造上の強化を図ることが可能となる。
【発明を実施するための最良の形態】
【００４２】
（実施形態の全体構成）
本発明の実施形態について、図１乃至図９に基づいて説明する。図１は、本実施形態たる梱包用緩衝構造体１０を用いて梱包対象物であるプロジェクタ装置Ｐを収納箱としての段ボール箱Ｂに収納する状態を斜視にて示す分解図であり、図２はプロジェクタ装置Ｐを収納した状態での段ボール箱Ｂの断面図である。
【００４３】
かかるプロジェクタ装置Ｐは、その底面側には段ボール紙からなる下敷きＭが敷かれると共に前後両端部にそれぞれ発泡スチロール製の保護材Ｃが介挿され、上面側に梱包用緩衝構造体１０が配置された状態で段ボール箱Ｂに格納される。
【００４４】
上記各保護材Ｃは、いずれも、内部中空の略直方体であって、その一平面側が開口し、プロジェクタ装置Ｐの前又は後端部を挿入させて包むように保護する構造となっている。また、プロジェクタ装置Ｐの前及び後端部に各保護材Ｃが装着され一体化した状態での前後幅と左右幅とは、段ボール箱Ｂの内側における前後幅と左右幅とにそれぞれほぼ一致するように、その寸法が設定されている。
【００４５】
これにより、プロジェクタ装置Ｐに各保護材Ｃを装着した状態で段ボール箱Ｂに格納すると、これらの四方は段ボール箱Ｂの内壁とほとんど隙間を生じない状態となる。そして、各保護材Ｃは発泡スチロール製であることからその弾性により、前後及び左右方向の振動や衝撃が段ボール箱Ｂの外部から加わっても、緩衝されてプロジェクタ装置Ｐの保護が図られるようになっている。
【００４６】
また、プロジェクタ装置Ｐと各保護材Ｃと下敷きＭと段ボール箱Ｂに格納した状態で、プロジェクタ装置Ｐの上方には隙間空間を生じるように、段ボール箱Ｂの高さが設定されており、かかる隙間空間に、梱包用緩衝構造体１０が配置される。
（梱包用緩衝構造体の全体構成）
図３は梱包用緩衝構造体１０の斜視図、図４は梱包用緩衝構造体１０が折り上げられる前の状態を示す展開図である。
【００４７】
図１及び図２に示すように、梱包用緩衝構造体１０は、主に厚み方向に弾性変形性を備える一対の緩衝部２０と、一対の緩衝部２０の間で当該各緩衝部２０の厚みよりも深く形成された凹部３３を有する収納部３０とを備えている。
【００４８】
そして、図４に示すように、梱包用緩衝構造体１０は、一枚の板体又はシート体である
段ボール材を折り曲げて組み上げられている。
（緩衝部）
上記各緩衝部２０は収納部３０を挟んで平行に配列され、それぞれ断面形状が長方形の角筒状に形成されている。すなわち、各緩衝部２０は、上板部２１と下板部２２と両側板部２３，２４とからなり、上板部２１と下板部２２の弾性に基づく撓みにより前後方向の緩作用を生じ、側板部２３，２４の弾性に基づく撓みにより上下方向の緩衝作用を生じる構造となっている。
【００４９】
さらに、各緩衝部２０は、その長手方向（図３に示す左右方向）における中間位置において、下板部２２から側板部２３にかけて切り欠かれ、開口部２５が形成されている。そして、当該開口部２５の内側には、下板部２２から収納部３０側の斜め上方に向かって延設された傾斜板２６が形成されている。
【００５０】
図５は、プロジェクタ装置Ｐと共に梱包用緩衝構造体１０が段ボール箱Ｂに格納された状態における一方の緩衝部２０の断面図を示す。各緩衝部２０の開口部２５は、段ボール箱Ｂの前後面を貫通して形成された取手口Ｂ１に対応する位置に形成されている。
【００５１】
つまり、運搬等のために段ボール箱Ｂを持つ際には、取手口Ｂ１に指先を挿入することとなるが、緩衝部２０には開口部２５が設けられているため、側壁板２３によって指先の挿入が妨げられないようになっている。
【００５２】
また、梱包用緩衝構造体１０は、前述したように段ボール材から形成されているが、開口部２５の形成のために切り欠かれた段ボール材の壁面端部及び後述するスリット部２７から緩衝部２０内に挿入された舌片部３８が、取手口Ｂ１から挿入された指先に直接当たらないように傾斜板２６
が指先の保護を行っている。
（収納部）
収納部３０は、主に、下板部３１と、当該下板部３１の前後両端部から立ち上げられた側板部３２，３２から構成され、これらにより、上方が開放された断面略Ｕ字状の凹部３３が形成されている。
【００５３】
そして、収納部３０は、その凹部３３の深さが緩衝部２０の厚みよりも深く形成されている。換言すると、各緩衝部２０と収納部３０とが一体的に連結された状態において、収納部３０の下板部３１が各緩衝部２０の下板部２２よりも低位置となるように設定されている。
【００５４】
つまり、図２に示すように、収納部３０は、両側に隣接する緩衝部２０よりも下方に突出しており、当該突出した部分がプロジェクタ装置Ｐの上方であって各保護材Ｃの間の空間に入り込むようになっている。
【００５５】
また、収納部３０は、略Ｕ字状の断面形状であることからその内側の凹部３３を収納スペースとして確保することができ、例えば、副次的な梱包対象物であるプロジェクタ装置Ｐの付属品等の収納を可能とする。
【００５６】
図６は、収納部３０Ａの下板部３１Ａと緩衝部２０の下板部２２とを同じ高さに設定して全体的に上下方向に均等な厚さに設定した比較例としての梱包用緩衝構造体１０Ａの段ボール箱Ｂへの格納時の断面図を示している。このように、全体的に厚さを均等に設定した場合、梱包用緩衝構造体１０Ａは、二つの保護材Ｃの間のスペースを全く活用しないことから、収納部３０Ａの内部容積を梱包用緩衝構造体１０と等しく確保するためには、全体的に厚く設定する必要があり、その結果、段ボール箱Ｂの高さをも高くする必要性を生じ、全体的な大きさの拡大を招くこととなる。一方、梱包用緩衝構造体１０では、二つの保護材Ｃの間のスペースに収納部３０を入り込ませて収納空間として活用していることから、十分な収納スペースを確保しつつも、外部への大型化を生じない。
【００５７】
また、下板部３１の前後方向幅は、プロジェクタ装置Ｐの前後端部に装着した二つの保護材Ｃの間隔に等しく設定されている。従って、段ボール箱Ｂの外部から前後方向に圧力や衝撃が付加された場合において、側板部３２，３２を介して下板部３１が撓み弾性的に変形することで、圧力や衝撃を緩和することができるようになっている。
【００５８】
また、収納部３０は、その四隅において、その下板部３１と各緩衝部２０の下板部２１とがそれぞれ平行となる姿勢を維持させるための支持構造部３５を備えている。
【００５９】
かかる支持構造部３５は、緩衝部２０の上板部２１の端部から収納部３０側に延設された梁３６と、梁３６の先端部から下板部３１まで垂下された柱３７とを有している。
【００６０】
梁３６は上板部２１と同一平面上で一体的に形成されている。柱３７は、梁３６の先端部から屈曲して下方に伸びて下板部３１と連結されている。そして、柱３７は、側板部３２の上下方向長さと同じ長さに設定されている。従って、梁３６に連接される緩衝部２０の上板部２１と収納部３０の下板部３１とは、平行状態が維持される。
（梱包用緩衝構造体の折り上げ［組み立て］の説明）
図７，図８及び図９は、図４に示す展開された状態から梱包用緩衝構造体１０を折り上げる工程を順に示した説明図である。
【００６１】
なお、図４，図７及び図８に限り、梱包用緩衝構造体１０に付された点線は当該点線に沿って山折りで折るべき箇所を示し、一点鎖線は当該一点鎖線に沿って谷折りで折るべき箇所を示すものとする。
【００６２】
まず、図７に示すように、側板部２４と下板部２２との境界の谷折り線と、下板部２２と側板部２３との境界の谷折り線と、側板部２３と上板部２１との境界の谷折り線とに沿って段ボール材を折り、四角柱状の緩衝部２０を形成する。またこのとき、傾斜板２６の先端部が側板部２４の先端部に近接するように当該傾斜板２６の基端部の谷折り線に沿って折り、傾斜板２６の傾斜状態をも形成する。
【００６３】
次いで、図８に示すように、緩衝部２０の上板部２１と収納部３０の側板部３２との境界の谷折り線と、側板部３２と下板部３１との境界の山折り線とに沿って段ボール材を折り、断面略Ｕ字状の凹部３３を形成する。またこのとき、支持構造部３５の梁３６の先端部の谷折り線と柱３７の下端部の山折り線に沿って折り、支持構造部３５をも形成する。
【００６４】
なお、図７及び図８の工程では、梱包用緩衝構造体１０は使用時の状態とは上下が逆さまの状態で折り上げられることとなる。
【００６５】
また、各緩衝部２０の側壁部２４には当該緩衝部２０の角筒状態を維持するためのスリット部２７が形成され、収納部３０の側板部３２には緩衝部２０の角筒状態を維持するための舌片部３８が形成されている。
【００６６】
上記スリット部２７は、側板部２４と下板部２２との境界となる折り線の近傍で当該折り線に沿って形成され、その一端部が屈曲して全体的には略Ｌ字状に形成されている。
【００６７】
舌片部３８は、その基端部における谷折り線に沿って折ることで側板部３２に対して垂直に立ち上げられる。かかる舌片部３８は、上述のスリット部２７に挿入することで側板部２４と側板部３２との密接状態を維持し、ひいては、緩衝部２０の四角筒状の形態を維持する。
【００６８】
ところで、スリット部２７は、前述したように略Ｌ字状に形成されていることから、これに対応して舌片部３８にも、その挿入方向と垂直方向に延設された係止片３９が形成され、当該係止片３９がスリット部２７のＬ字形状に対応するように垂直に折り曲げられた状態（図８の状態）で挿入されることとなる。
【００６９】
さらに、舌片部３８をスリット部２７に挿入した後には、係止片３９は屈曲状態から舌片部３８と同一平面上となるように真っ直ぐに延ばされる（図９の状態）。これにより、
係止片３９がスリット部２７を通過不能となり、舌片部３８のスリット部２７からの脱抜が防止され、緩衝部２０の角筒状態がより安定して維持されることとなる。
【００７０】
なお、下板部２２から側板部２３にかけては、前述したように開口部２５が形成されていることから、開口部２５と傾斜板２６との隙間から手を入れて係止片３９の曲げ或いは延ばす操作を行うことが可能となっている。
【００７１】
なお、スリット部２７を略Ｌ字状ではなく真っ直ぐに形成すると共に、係止片３９を舌片部３８に対して屈曲させない状態でスリット部２７に挿入し、その後、係止片３９に曲げる操作を加えても良い。かかる場合にも、係止片３９がスリット部２７を通過不能となり、スリット部２７が略Ｌ字状の場合と同様に、緩衝部２０の角筒状態をより安定して維持するこが可能である。
（実施形態の効果）
上記梱包用緩衝構造体１０では、二つの緩衝部２０より収納部３０を下方に突出させているので、プロジェクタ装置Ｐの付属品等の副次的な梱包対象物の収納スペースとなる凹部３３の容積を大きく確保することが可能となる一方で、二つの保護材Ｃの間の空間に突出した収納部３０を挿入することにより、収納部３０の突出構造を原因とする収納箱の上下方向の拡大を回避して、その小型化を図ることが可能となる。
【００７２】
さらに、収納部３０の両側に設けられた緩衝部２０により、プロジェクタ装置Ｐの上下方向からの衝撃や圧力を緩和することが可能となる。
【００７３】
また、収納部３０が二つの保護材Ｃの間に挟まれた配置となるので、各保護材Ｃが接近する方向の衝撃や圧力を収納部３０の撓み等により吸収し、プロジェクタ装置Ｐのさらなる保護を図ることが可能となる。
【００７４】
また、収納部３０が二つの保護材Ｃの間に挟まれた配置となることで、当該各保護材Ｃが段ボール箱Ｂ内で収納部３０（凹部３３）により固定されるため、保護材Ｃの倒れや回転も防止することが可能となる。
【００７５】
さらに加えて、下板部３１と支持構造部３５で囲まれた部分に付属品を収納することで、支持構造部３５の梁３６、柱３７が付属品を固定し、図３の左右方向（矢印Ｗ方向）に対する衝撃や圧力を吸収することができる。
【００７６】
また、梱包用緩衝構造体１０は、一枚の段ボール材から形成されるため、その生産材料を低減し且つ無駄なく活用することができ、生産性の向上を図ることが可能となる。さらに、一枚の段ボール材から折り上げて完成されることから、生産の容易化迅速化を図り、さらなる生産性の向上を図ることが可能となる。
【００７７】
また、上記折り曲げ作業により角筒状の緩衝部２０を形成することから、その形成が容易でありながら、その長手方向及び長手方向に直交する方向に緩衝効果を発揮して、梱包対象物を十分に保護することが可能となる。
【００７８】
さらに、梱包用緩衝構造体１０は、係止片３９を曲げ、舌片部３８をスリット部２７に挿入する等の簡易な作業で、角筒状の緩衝部２０を形成し維持することが可能であるため、生産性のさらなる向上を図ることができる。また、係止片３９により、舌片部３８のスリット部２７からの抜脱を防止し、角筒構造を効果的に維持することができ、構造上の強化を図ることが可能となる。
【図面の簡単な説明】
【００７９】
【図１】発明の実施形態たる梱包用緩衝構造体を用いてプロジェクタ装置を段ボール箱に収納する状態を斜視にて示す分解図である。
【図２】プロジェクタ装置を収納した状態での段ボール箱の断面図である。
【図３】梱包用緩衝構造体の斜視図である。
【図４】梱包用緩衝構造体が折り上げられる前の状態を示す展開図である。
【図５】プロジェクタ装置と共に梱包用緩衝構造体が段ボール箱に格納された状態における一方の緩衝部の断面図を示す。
【図６】実施形態の効果を説明するための比較例の段ボール箱への格納時の断面図である。
【図７】図４に示す展開された状態から梱包用緩衝構造体を折り上げる初期の工程を示した説明図である。
【図８】図４に示す展開された状態から梱包用緩衝構造体を折り上げる図７に続く工程を示した説明図である。
【図９】図４に示す展開された状態から梱包用緩衝構造体を折り上げる折り上がりの工程を示した説明図である。
【符号の説明】
【００８０】
１０  梱包用緩衝構造体
２０  緩衝部
２７  スリット部
３０  収納部
３３  凹部
３８  舌片部
３９  係止片
【図１】
2006021814.tif 000003
【図２】
2006021814.tif 000004
【図３】
2006021814.tif 000005
【図４】
2006021814.tif 000006
【図５】
2006021814.tif 000007
【図６】
2006021814.tif 000008
【図７】
2006021814.tif 000009
【図８】
2006021814.tif 000010
【図９】
2006021814.tif 000011